(57)【要約】【課題】  反射加熱ファンの構成を簡略、小型化し、且つ、加熱の高効率化を実現する。【解決手段】  主軸回りを回転する少なくとも一つのファンと、少なくとも一つの発熱体と、少なくとも一つの反射手段からなる反射加熱ファンであって、前記発熱体と反射手段が前記主軸に連結しており、前記発熱体によって発生する熱を前記ファンによって生み出される空気流に反射させることで空気流を間接的に加熱する。【選択図】  図１
2009500586.tif 000002
【特許請求の範囲】
【請求項１】
主軸回りを回転する少なくとも一つのファンと、少なくとも一つの発熱体と、少なくとも一つの反射手段からなり、前記発熱体と反射手段が前記主軸に連結しており、前記発熱体によって発生する熱を前記ファンによって生み出される空気流に反射させることで空気流を間接的に加熱することを特徴とする反射加熱ファン。
【請求項２】
請求項１において、反射手段がパラボラ形であることを特徴とする反射加熱ファン。
【請求項３】
請求項１において、発熱体が発熱電球であることを特徴とする反射加熱ファン。
【請求項４】
請求項１において、発熱体が発熱線であることを特徴とする反射加熱ファン。
【請求項５】
請求項１において、独立単体構造であることを特徴とする反射加熱ファン。
【請求項６】
請求項１において、天井取付構造であることを特徴とする反射加熱ファン。
【請求項７】
請求項１において、人の声、機械音、合成音、音楽のいずれかで作動させることを特徴とする反射加熱ファン。
【請求項８】
請求項１において、遠隔操作で作動させることを特徴とする反射加熱ファン。
【請求項９】
二機能回転軸に組み込まれた発熱体にエネルギを供給し、前記二機能回転軸を介してモータから動力を少なくとも一つの羽根構造に伝達することで羽根構造に回転を与えて生み出された空気流に前記エネルギを反射面によって反射させることを特徴とする空気流を間接的に加熱する方法。
【発明の詳細な説明】
【技術分野】
【０００１】
本発明は、反射加熱ファンに関する。
【背景技術】
【０００２】
従来の反射加熱ファンは、軸上に設けた電気モータの作用によって回転する２以上の羽根からなる電気ファンを採用しており、電気グリルのような熱源を含んだ空間周囲の空気を送り出し、熱風流をつくりだす。従来の温風を作り出すファン内部の発熱体は、空気の流れを妨げないようにファンが作り出す空気流路内に組み込まれるべき必要性から物理的サイズに制約があった。しかも、発熱体を一定の流量で通過する空気が、塵埃粒子、油脂類、虫などの異物に曝されるので、効率が低下し、結果的に故障を起こすことがある。
【０００３】
米国特許第６３９３２１１号公報には、ファンを用いない反射式加熱装置が開示されている。また、別の米国特許第５６３６３１８号公報には、加熱手段とファンからなる直熱ヒータが示されている。前者は加熱空気の拡散が悪く、後者は加熱手段が環境を悪化させる。
【特許文献１】米国特許第６３９３２１１号公報
【特許文献２】米国特許第５６３６３１８号公報
【発明の開示】
【発明が解決しようとする課題】
【０００４】
発熱体が気流の含有物の有害な影響を受けることなく空気を攪拌しながら空気流を効果的に間接加熱できる装置の実現が望まれていた。
【０００５】
本発明の一実施例において、放射状に反射加熱できる換気ファンであって、発熱体からの熱を換気ファンが生み出す気流内に反射させるパラボラ型反射椀部材よりなる反射加熱ファンを提供する。
【課題を解決するための手段】
【０００６】
本発明の装置は、以下に列記するような多彩な技術的優位性を備えている。
【０００７】
・空気流と発熱体との直接接触の悪影響の回避
・発熱体の従来型ファンにおける軸構造への単純統合性
・単純構造
・クリーニングおよびメンテナンス時の羽根構造の点検の容易性
・据置き扇風機および天井ファンへの直接適用可能な汎用性
本発の他の特徴および利点は図面に基づく以下の説明で明らかにする。
【０００８】
このパラボラ型反射ヒータは、人の声や機械音、あるいは、合成音、音楽などを含む遠隔操作可能な手段で作動させることもできる。
【０００９】
本発明は家庭用のみならず農業および工業用として適用できる熱反射型換気扇や送風機などにおいて、パラボラ型反射椀部材で熱源からの熱を反射させるファンに関するもので、電気モータからの動力をファン羽根に伝達させる従来型回転軸に取り付けられ、取り付けた従来の換気装置が作り出す気流の中に本発明のファンが位置するようになっている。
【００１０】
換気扇は空気流あるいは微風を生み出す装置であって、特に、電気モータを用いて薄厚で剛性のある羽根を回転させて空気を攪拌する機械である。また同様に、送風機は、カタツムリ状シェル内に剛性羽根を内蔵して水平に取り付けられたリング部材を電気モータで回転させる構造になっており、リング部材は、リング状羽根の方向に平行でリング部材のサイズに適合した円形の空気取入口と、リング状羽根の方向に直交する排出口を備えている。
【００１１】
熱反射面は、適当な金属層や金属コーティングが施され、あるいは、金属フィルムが貼り付けられて形成されている。熱反射面は、平面あるいはパラボラ形になっており、連続的または非連続的な単焦点あるいは複焦点を持つようになっている。
【００１２】
発熱体には各種タイプがあり、発熱電球と発熱線から放出される多量の熱を含んでいる。
【００１３】
ファンによって噴き出される熱風は空気流に間接的に流れ、通常の電熱ファンと異なって、この空気流はファンによって反射部に反射される。従来一般的に用いられるファンと比べて、前記反射は空気をまとめて拡散させる。前記空気流の間接的流路は減衰した垂直または水平反射によって機能する。
【発明を実施するための最良の形態】
【００１４】
本発明の好ましい実施例に従って適正に理解できるように、添付の図面（縮尺は原寸と異なる）を参照して説明する。図において、全ての実施例を通して同じ参照数字は等価な要素を示している。
【００１５】
図１は、パラボラ型反射椀部材１２の非反射断熱側面に取り付けられ、且つ、筐体に収納された従来型モータユニット１１を備えた卓上式パラボラ型熱反射ファン装置１０の概略分解図である。前記モータユニットは、パラボラ型反射椀部材（反射盤）１２の中心を貫通し、発熱体１４の内部に納められ、指保護グリル１３に覆われた羽根構造１６に連結した回転軸を有する。発熱体１４によって生じる熱は、パラボラ型反射椀部材（反射盤）１２の内側反射側部によって反射され、モータユニット１１によって起こされた気流を経て羽根構造１６へて伝達する。
【００１６】
図２は図１の装置を天井に取り付けた実施例の概略断面図であり、電気配線を発熱体１４、従来型天井ファン２６、ランプ２７に接続する配線回路板２１を内蔵した吊り金具２３で天井に取り付ける。パラボラ型反射椀部材１２の外側非反射断熱側面１２ａを、パラボラ型反射椀部材１２の中心から突設した天井ロッド２５を有する吊り金具２３に取り付ける。天井ロッド２５の突設部は発熱体１４に嵌着させている。パラボラ型反射椀部材１２は、発熱体からの熱を反射させる内側反射面１２ｂを有している。天井ロッド２５は更に、熱保護カバー２８を貫通して延設され、従来型天井ファン２６のモータに連結しており、天井ロッド１５が枢軸となってファンの羽根を回転させるようになっている。
【図面の簡単な説明】
【００１７】
図１は、本発明の好ましい実施例における原理に基づいて構成された卓上式パラボラ型熱反射ファンによる概略分解図である。
【００１８】
図２は、本発明によるファンヒータを天井に取り付けた実施例の概略断面図である。
【符号の説明】
【００１９】
１０   熱反射ファン装置
１１   従来型モータユニット
１２   パラボラ型反射椀部材
１２ａ 非反射断熱側面
１２ｂ      反射面
１３   指保護グリル
１４   発熱体
１５   天井ロッド
１６   羽根構造
２１   配線回路板
２３   吊り金具
２５   天井ロッド
２６   従来型天井ファン
２７   ランプ
２８   熱保護カバー
【図１】
2009500586.tif 000003
【図２】
2009500586.tif 000004
【国際調査報告】
2009500586.tif 000005
2009500586.tif 000006
2009500586.tif 000007